(57)【要約】 【課題】  薄い扉厚に対応すると共に、操作性が良いサムターンを得ること。【解決手段】  扉の壁面に取り付けることができる取付け台座１と、この取付け台座の表側に揺動自在に設けられた操作板２５とから成り、前記取付け台座には窓部２１を形成し、一方、前記操作板の裏側には、前記窓部を貫通し、かつ、前記扉５１の錠箱５２内に設けた受圧可動片５３に対して押圧可能な押圧腕部３６或いは押圧腕部材２７を設けたことを特徴とする錠前用サムターンの構造。【選択図】  図１
2006193922.tif 000002
【特許請求の範囲】
【請求項１】
扉の壁面に取り付けることができる取付け台座１と、この取付け台座の表側に揺動自在に設けられた操作板２５とから成り、前記取付け台座には窓部２１を形成し、一方、前記操作板の裏側には、前記窓部を貫通し、かつ、前記扉５１の錠箱５２内に設けた受圧可動片５３に対して押圧可能な押圧腕部３６或いは押圧腕部材２７を設けたことを特徴とする錠前用サムターンの構造。
【請求項２】
請求項１に於いて、取付け台座に支持部７を突設し、該支持部の穴１４の中にクリックバネ１６に付勢されたクリックボール１５が内装され、一方、前記支持部に対向する操作板の突起部分２９に前記クリックボールが圧接する係合部３１が形成されていることを特徴とする錠前用サムターンの構造。
【請求項３】
請求項１に於いて、取付け台座の凹所４内に貫通孔１４を有する支持部７を突設し、前記貫通孔にクリックボール１５とクリックバネ１６がそれぞれ組み込まれていると共に、前記クリックバネの外端部側は、取付け台座に固定的に嵌め込まれた押さえ片１８に支持されていることを特徴とする錠前用サムターンの構造。
【請求項４】
請求項３に於いて、押さえ片１８は、取付け台座の凹所を形成する側壁部分３の内壁面３ａと前記凹所に突設した支持部の外壁面７ａとの間の空間部分８に位置していることを特徴とする錠前用サムターンの構造。
【請求項５】
請求項１に於いて、取付け台座の凹所の一側壁に切欠部１７を形成し、一方、凹所内に突設した支持部７の穴は貫通孔１４であり、該貫通孔にクリックボール１５とクリックバネ１６がそれぞれ組み込まれていると共に、前記クリックバネの外端部側は、前記切欠部に固定的に嵌め込まれた押さえ片１８に支持されていることを特徴とする錠前用サムターンの構造。
【請求項６】
請求項１に於いて、取付け台座のベース板部分２には、操作板２５の裏側に設けられた突起部分２９が入り込むことが可能な逃がし部分２２が形成されていることを特徴とする錠前用サムターンの構造。
【請求項７】
取付け台座１の凹所４内に突設した支持部７に突起部分２９が対向するように操作板２５を嵌め込む操作板嵌合工程Ａと、前記取付け台座１の側壁部分３に形成した切欠部１７を介して外から操作板用支軸１３を支持部７及び操作板２５の軸孔に差込むと共に、クリックボール１５とクリックバネ１６を、前記切欠部１７を介して外から支持部７の貫通孔１４にそれぞれ組み込む部材組込み工程Ｂと、前記切欠部１７を介して外から押さえ片１８を取付け台座１に嵌め込む押さえ片嵌め込み工程Ｃと、前記押さえ片１８を取付け台座１に固定し、クリックバネ１６の外端部を支持する押さえ片固定工程Ｄとから成るサムターンの組み合わせ方法。
【発明の詳細な説明】
【技術分野】
【０００１】
本発明は、錠前用サムターンの構造に関する。
【背景技術】
【０００２】
特許文献１には、玄関ドアなどの開閉体に設けられ、ドアに対して施・解錠を行う施解錠装置が記載されている。一般に、開閉体に設けられた錠前（施解錠装置）は、屋内側からはシリンダ錠に連動されているサムターンを回動操作することで、デッドボルトの進退を行い、その施錠及び解錠を行うようになっている。
【０００３】
そして、通常、このサムターンの回動は、約９０度の回動範囲内とされ、その範囲で施錠又は解錠となるよう構成されており、このサムターンの略平板状に形成されている「つまみ部分」を略垂直な状態と略水平な状態との間で回動させることで、例えば垂直な状態の際に解錠状態となり、また水平な状態の際に施錠状態となるようになっている。
【０００４】
ところで、上記サムターンの構造は、錠箱内にてデッドボルトの進退を連動させる軸状部材であり、ドアの屋内側面や座金，エスカチオンより突出するこの軸部材の端部に、「つまみ部分」が一体に形成されている。そして、つまみ部は、容易につまみ易いように長いサムターン軸部材に対して外側に相当延出するよう形成されている。
【０００５】
したがって、一般的なサムターンの構造は、薄い扉厚に適用し難いという問題点がある。
【０００６】
なお、本発明は、操作手段を揺動させるスイッチ方式であるが、操作手段を揺動させる一例として、特許文献２がある。この特許文献２には、「本発明の取付け台に相当するドアの座板にサムピースを軸支し、該サムピースを揺動させることにより、軸体を所定位置へと移動させると共に、レバーハンドルをロックし、又はレバーハンドルのロックを解消させる事項」が記載されている。しかし、前記サムピースは、扉の錠箱内に設けた受圧可動片に対する操作部材ではない。
【特許文献１】特開２００１−２８８９３７号公報
【特許文献２】実公昭６０−２８７５４号公報
【発明の開示】
【発明が解決しようとする課題】
【０００７】
本発明の第１の目的は、薄い扉厚に適用することができると共に、操作性が良いサムターンを得ることである。第２の目的は、操作板を確実に切り換えることができることである。第３の目的は、各部材の組み合わせの向上を図ることである。その他デザイン性に優れていることである。
【課題を解決するための手段】
【０００８】
本発明の錠前用サムターンの構造は、開閉体の壁面に取り付けることができる取付け台座と、この取付け台座の表側に揺動自在に設けられた操作板とから成り、前記取付け台座には窓部を形成し、一方、前記操作板の裏側には、前記窓部を貫通し、かつ、前記開閉体の錠前に設けた受圧可動片に対して押圧可能な押圧腕部或いは押圧腕部材を設けたことを特徴とする。
【０００９】
また、本発明のサムターンの組み合わせ方法は、取付け台座１の凹所４内に突設した支持部７に突起部分２９が対向するように操作板２５を嵌め込む操作板嵌合工程Ａと、前記取付け台座１の側壁部分３に形成した切欠部１７を介して外から操作板用支軸１３を支持部７及び操作板２５の軸孔に差込むと共に、クリックボール１５とクリックバネ１６を、前記切欠部１７を介して外から支持部７の貫通孔１４にそれぞれ組み込む部材組込み工程Ｂと、前記切欠部１７を介して外から押さえ片１８を取付け台座１に嵌め込む押さえ片嵌め込み工程Ｃと、前記押さえ片１８を取付け台座１に固定し、クリックバネ１６の外端部を支持する押さえ片固定工程Ｄとから成ることを特徴とする。
【００１０】
ここで、「サムターン」とは、開閉体（扉，引戸など）の壁面に取り付けることができる取付け台座と、この取付け台座の表側に揺動自在に設けられる操作板とを含み、最も広く解釈する場合には、前記操作板を位置決めするクリック手段も含まれる。
【発明の効果】
【００１１】
（１）薄い扉厚に対応することができる。また、図１０で示すように、スイッチ方式なので、操作性が良い。
（２）クリック手段１５，１６を備えている実施例の場合には、回転（反転）状態を感覚的に確認することができる。したがって、確実に操作板の切り換えを行うことができる。
（３）各部材の組み合わせの向上を図ることができる。
（４）取付け台座の凹所の一側壁に切欠部を有し、一方、凹所内に突設した支持部の穴は貫通孔であり、該貫通孔にクリックボールとクリックバネがそれぞれ組み込まれていると共に、前記クリックバネの外端部側は、前記切欠部に固定的に嵌め込まれた押さえ片に支持されている場合には、図９で示すように、例えば操作板の突起部分を支持部間の空間部分に嵌め込むと共に、支軸を前記支持部に挿入架設し、次に、クリックボールとクリックバネを前記支持部の貫通孔に組込み、そして、押さえ片を切欠部に固定的に嵌め込めば良いので、極めて簡単に支軸やクリック手段を取付け台座に組み込むことができる。
（５）請求項６に記載の発明は、操作板の揺動範囲を大きくすることができるから、例えば錠箱内に上下動自在に内装した受圧可動片の移動距離を大きくすることができる。
【発明を実施するための最良の形態】
【００１２】
以下、図１乃至図１０に示す本発明を実施するための最良の形態により説明する。
（１）発明の実施の環境
図１は本発明の主要部を示す分解斜視図である。また、図１０は発明の実施の環境を示す概略説明図である。図１及び図１０に於いて、Ｘは扉５１の壁面５１ａに取り付けることができるサムターンである。サムターンは、公知のように、通常の使用方法では、開閉体の内壁に固定的に装着され、屋内側からサムターンを構成するサム（摘み）を操作することにより、開閉体、例えば引戸の縦框に取り付けた錠前（例えば錠箱）内の受圧可動片（或いは係合可動片）５３との係脱関係を介して当該錠前を施錠状態又は解錠状態にする。
【００１３】
したがって、本発明のサムターンＸの構造も、原則として通常の使用方法を前提とし、扉，引戸などの開閉体５１の内壁５１ａに固定的に装着され、かつ、サム（摘み）に相当する任意形状の操作板２５の両端部を指５４で交互に押圧操作することにより、開閉体５１の戸先或いは自由端部に設けた錠前（例えば錠箱５２内の施・解錠機構）を施錠状態又は解錠状態にすることができる。
【００１４】
さて、本発明の錠前用サムターンＸの構造は、図１で示すように、開閉体５１の壁面に取り付けることができる取付け台座１と、この取付け台座の表側に揺動自在に設けられた操作板２５とから成り、前記取付け台座１の中央部には窓部２１を形成し、一方、前記操作板２５の裏側中央部には、前記窓部２１を貫通し、かつ、前記開閉体５１の錠前（例えば錠箱内）に設けた受圧可動片５３に対して押圧可能な押圧腕部３６或いは押圧腕部材２７を設けたことを特徴とする。
【００１５】
したがって、取付け台座１と操作板２５を中心に説明し、細部的事項と考えられる固着具、取付け部等は図外とし、その説明を割愛する。また、開閉体５１の外壁５１ｂに固定的に装着される取付け台座１Ａの構造についても説明を割愛する。以下、本発明の特定要件について順次説明する。
【００１６】
（２）取付け台座の全体的形状
図１、図２乃至図４に表側が凹所状に開放するケース状の取付け台座１の一例を示してある。図１では取付け台座１の正面側を示してある。図２（ａ）は仮想線を有する正面図、図２（ｂ）は仮想線を有する右側面図である。図３は前記（ａ）の３−３線断面図、図４は前記（ａ）の４−４線断面図である。
これらの図に於いて、２は枡形状の底部に相当する四角いベース板部分、３は枡形状の周壁に相当する上下及び左右の側壁部分、４はベース板部分２及び側壁部分３で区画された表側が開放する凹所である。
【００１７】
本実施例では、さらに、側壁部分３の端面に扉５１の内壁５１ａに対する装着用フランジ部分５が周設され、また、ベース板部分２の裏側の中央部上下に一対の取付け杆（例えばメネジ杆）６を突設している。
【００１８】
（３）取付け台座１の具体的構成−その１
まず、図２（ａ）の正面図を基準にすると、７は取付け台座１のベース板部分２の表面側に突設された左右一組の支持部である。左右の支持部７は、側壁部分３の上下及び左右の内壁面３ａからそれぞれ所要間隔離間していると共に、ベース板部分２の中央部から下端部付近まで延在する長板状に形成されている。左右の支持部７の形状、縦の長さ、横の厚さ、側壁部分３の内壁面３ａとの離間空間、軸孔１２及びクリックバネ用穴１４は同一である。したがって、説明の便宜上、同一構成には同符号を付す。
【００１９】
しかして、８は左右の側壁部分３の内壁面３ａと支持部７の外壁面７ａとの間に設定され第１空間部分である。この第１空間部分８と同様の第２空間部分９は、下の側壁部分３の内壁面３ａと支持部７の下端面との間にも設定されているが、ここでは、クリック手段１５，１６との関係に於いて、前記第１空間部分８の方が重要である。
【００２０】
ところで、支持部７の上端面と上の側壁部分３の内壁面３ａとの間には、幅広の第３空間部分１０、左右の支持部７の対向する内壁面７ｂ，７ｂとの間には、第４空間部分（支持部間の空間）１１がそれぞれ形成されている。したがって、凹所４は、互いに連通する第１空間部分８乃至第４空間部分で構成されている。
【００２１】
次に、図３で示すように、１２は支持部７の上端部に形成された軸孔で、この軸孔１２は取付け台座１の中心孔に相当し、図１で示す所定長さの支軸１３が架設される。支軸１３の長さは、取付け台座１に固定的に嵌め込まれる左右一対の押さえ片１８の邪魔にならないように、適宜に設定され、望ましくは支持部７の外壁面７ａから突出しない。
【００２２】
一方、１４は支持部７の下端部に形成された穴（本実施例では貫通孔）であり、該穴１４には、図１で示すクリックボール１５と、該クリックボールの一部を支持部７の内壁面７ｂから突出可能に付勢するクリックバネ１６とが組み込まれる（図９参照）。
【００２３】
本発明は、クリック手段（クリックボール１５，クリックバネ１６）を取付け台座１に形成した切欠部１７を介して支持部７の貫通孔１４に組み込む構造にも特徴部分がある。
【００２４】
次に、図２（ｂ）及び図４で示すように、１７は凹所４を形成する側壁部分３の一側壁の中央部から下端部にかけて形成された左右一対の切欠部である。本実施例では、側壁部分３の左右に対称的に形成されている。これらの切欠部１７には、図１で示す端面コ字型形状のクリック手段用の押さえ片１８がそれぞれ固定的に嵌め込まれる。
【００２５】
前記押さえ片１８は、複数個の係合爪部１９を有し、かつ、取付け台座１の所望する箇所（例えば第１空間部分８）に簡単に位置付けることができるように、その材質自体により弾性変形及び弾性変形復帰機能を有する。
【００２６】
（４）取付け台座１の具体的構成−その２
取付け台座１のベース板部分２の中央部には、少なくとも任意形状の窓部２１が形成されている。窓部２１は、前述した凹所４の第４空間部分（支持部間の空間）１１に位置している。また、窓部２１の左右には、操作板２５の左右の突起部分２９が入り込むことができる逃がし部分（例えば開口部分）２２が一組形成されている。
逃がし部分２２の一方（本実施例では右側）は前記窓部２１に連通している。したがって、操作板用の左右の開口部分２２も第４空間部分１１に位置している。
【００２７】
（５）操作板
図１、図５乃至図９に操作板２５の一例を示してある。図５（ａ）は操作板本体２６の正面図、図５（ｂ）は押圧腕部材を省略した操作板本体２６の右側面図である。図６は押圧腕部材を省略した背面側からの概略説明図、図７は前記（ａ）の７−７線断面図である。
【００２８】
操作板２５は、前述したように取付け台座１の表側に支軸１３を介して揺動自在に設けられている。また、その押圧腕部３６或いは押圧腕部材２７は、取付け台座１の窓部２１を貫通し、かつ、開閉体５１の錠箱５２内に設けた受圧可動片５２に対して押圧可能な状態に係合する。
【００２９】
なお、受圧可動片５２は、図１０で示すように、操作板２５の押圧腕部３６が嵌入する係合窓５６を有すると共に、錠箱５２内の単数又は複数個の案内部材５７に案内されて上下動可能である。
【００３０】
（６）操作板の具体的構成
本実施例の操作板２５は、取付け台座１の凹所部分４に遊嵌合する形状（例えば四角）の操作板本体２６と、該操作板本体２６の裏側中央部に一体化された押圧腕部材２７とから構成されている。
【００３１】
まず、図５乃至図７に示す操作板本体２６について説明する。２８は矩形板状に形成された操作部分で、本実施例の操作板２５は、該操作部分２８の上端部又は下端部を室内側から指５４で押圧すると、横方向の支軸１３を支点に揺動する（図１０）。この操作部分２８の表面には、押圧箇所、施錠側、解錠側、商号、商標等を意味する識別標識を適宜に付すことができる。
【００３２】
２９は操作部分２８の裏側に対向状態に突出形成された突起部分で、左右一対の突起部分２９の下端部には、支持部７に内装されたクリックボール１５が圧接し得る単数又は複数個の係合部３１（例えば小溝）が形成されている。
【００３３】
本実施例の突起部分２９は、例えば上端部から下端部にかけて次第に幅広くなっている羽根状に形成され、支軸１３に対する軸受け機能とクリックボール１５に対する係合機能を付与している。
【００３４】
したがって、突起部分２９の中央部には、支持部７の軸孔１２と一致する軸孔３０が形成されている。そして、図５（ｂ）で示すように、突起部分２９の下端部には、小さな窪み状の係合部３１が、前記軸孔３０の同心円上に合計２個並列形成されている。
【００３５】
ところで、本実施例では、操作板２５は、操作板本体２６と、該操作板本体２６と別体に成形された押圧腕部材２７とから構成されていることから、組み合わせが簡単にできるように工夫し、例えば操作板本体２６の裏側には、左右の突起部分２９及び上下の突起部分３２に区画された矩形の嵌合凹所３３を設けている。
【００３６】
したがって、図８で示す押圧腕部材２７は、前記嵌合凹所３３に固定的にフイットする矩形の添設板３５と、この添設板３５の裏側から交差方向に延びる長板状の押圧腕部３６とから成り、前記押圧腕部３６の基部或いは添設板３５の中央部には、突起部分２９の軸孔３０と一致する軸孔３７が形成されていると共に、押圧腕部の先端部分には円形状の係合部３８が形成されている。
【００３７】
（７）サムターンの組み合わせ方法
組み合わせ方法については、図９に示す通りである。まずＡは、取付け台座１の凹所４に突設した支持部７の内壁面７ｂに突起部分２９が対向するように操作板２５を嵌め込む操作板嵌合工程である。取付け台座１及び操作板２５の構造は、前（１）乃至（６）に前述した通りである。
【００３８】
次にＢは、取付け台座１の側壁部分３に形成した切欠部１７を介して外から操作板用支軸１３を支持部７の軸孔１２及び操作板２５の軸孔３０（３７）に差込むと共に、クリックボール１５とクリックバネ１６を、前記切欠部１７を介して外から支持部７の貫通孔１４にそれぞれ組み込む部材組込み工程である。この時、クリックボール１５は支持部７の貫通孔１４内に完全に内装される。また、クリックバネ１６の内端部も貫通孔１４内に入る。
【００３９】
次にＣは、前記切欠部１７を介して外から押さえ片１８を取付け台座１に嵌め込む押さえ片嵌め込み工程である。押さえ片１８の構成は前述した通りである。
最後にＤは、押さえ片１８を取付け台座１の支持部７の外壁面７ａと取付け台座１の側壁部分３の内壁面３ａとの間にクリックバネ１６の外端部を支持するようにセットする押さえ片固定工程である。
【００４０】
本実施例の押さえ片１８は、係止機能を有する係合爪部１９を有しているため、ワンタッチ方式で押し込み、前記係合爪部１９を取付け台座１の側壁部分（切欠部１７の縁部）３に係止させることができる。
【００４１】
したがって、本発明のサムターンの組み合わせ方法は、極めて簡単に支軸やクリック手段を取付け台座に組み込むことができる。それ故に、組み立ての向上を図ることができる。
【実施例】
【００４２】
発明の実施の形態で示した実施例に於いて、操作板２５は、操作板本体２６と、該操作板本体２６と別体に成形された押圧腕部材２７とから構成されているが、実施例によっては、押圧腕部材２６の押圧腕部２７は、予め操作板２５と一体に成形される。
【００４３】
また、押さえ片１８は、クリックバネ１６の外端部側を支持できる形態であれば良く、コ字型形状に限定されるものではない。また、取付け台座１の切欠部１７も発明の目的如何によって限定的な特定要件と成り得るものである。
【００４４】
したがって、取付け台座１に切欠部１７を形成せず、弾性変形及び弾性変形復帰機能を有する図示しないＵ字型形状等の押さえ片を第１空間部分８に嵌め込むこともできる。
【産業上の利用可能性】
【００４５】
本発明は、主に主に錠前や建具の業界で利用される。
【図面の簡単な説明】
【００４６】
図１乃至図１０は本発明の最良の実施例を示す各説明図。
【図１】本発明の主要部を示す分解斜視図。
【図２】（ａ）、（ｂ）は、本発明の要部（取付け台座）の一例を示す正面図、右側面図。
【図３】図２の３−３線断面図。
【図４】図２の４−４線断面図。
【図５】（ａ）、（ｂ）は、本発明の要部（操作板本体）の一例を示す正面図、右側面図。
【図６】要部（操作板本体）を背面から見た概略説明図。
【図７】要部（操作板本体）の縦断面概略説明図。
【図８】要部（押圧腕部材）の斜視図。
【図９】サムターンの組み合わせ方法を示す工程図。
【図１０】発明の実施の環境を示す概略説明図。
【符号の説明】
【００４７】
Ｘ…サムターン、1…取付け台座、２…ベース板部分、３…側壁部分、３ａ…内壁面、４…凹所、５…フランジ部分、７…支持部、７ａ…外壁面、７ｂ…内壁面、８，９，１０，１１…空間部分、１２…軸孔、１３…支軸、１４…穴（貫通孔）、１５…クリックボール、１６…クリックバネ、１７…切欠部、１８…押さえ片、１９…係合爪部、２１…窓部、２２…逃がし部分、２５…操作板、２６…操作板本体、２７…押圧腕部材、２８…操作部分、２９…突起部分、３０…軸孔、３１…係合部、３２…上下の突起部分、３３…嵌合凹所、３５…添設板、３６…押圧腕部、３７…軸孔、３８…係合部、５１…扉、５１ａ，５１ｂ…壁面、５２…錠箱、５３…受圧可動片、５６…係合窓、Ａ…操作板嵌合工程、Ｂ…部材組込み工程、Ｃ…押さえ片嵌め込み工程、Ｄ…押さえ片固定工程。
【図１】
2006193922.tif 000003
【図２】
2006193922.tif 000004
【図３】
2006193922.tif 000005
【図４】
2006193922.tif 000006
【図５】
2006193922.tif 000007
【図６】
2006193922.tif 000008
【図７】
2006193922.tif 000009
【図８】
2006193922.tif 000010
【図９】
2006193922.tif 000011
【図１０】
2006193922.tif 000012